(57)【要約】 【課題】  複数のコンテンツデータに対する処理を容易にできる記録再生装置を提供する。【解決手段】  記録再生装置２００のＣＰＵ２９０は、追記録画要求情報を取得して、追記録画対象番組のタイトルを組み込んだ追記対象番組特定情報を生成する。ＣＰＵ２９０は、番組情報テーブルから追記対象番組特定情報で特定される追記対象番組の番組情報を取得して、追記録画予約情報の更新処理を実施する。ＣＰＵ２９０は、現在時刻が追記録画予約情報における録画開始日時となることを認識すると、追記録画予約情報が組み込まれた追記録画処理関連情報に対応する追記録画データを特定させる。ＣＰＵ２９０は、追記録画予約情報に基づいて取得される追記録画対象番組のコンテンツデータを、第（Ｒ＋１）のコンテンツデータ７１（Ｒ＋１）として追記録画データの追記コンテンツデータの終端に連結させる。【選択図】 図１
2006166347.tif 000002
【特許請求の範囲】
【請求項１】
所定のデータの内容情報および配信時間情報を含む前記データの案内情報を取得する案内情報取得手段と、
特定の前記データの取得を要求する取得要求情報を取得する取得要求情報取得手段と、
前記内容情報および前記配信時間情報に基づいて、データ取得手段に前記取得要求情報で取得が要求される前記特定のデータを取得させる制御をするデータ取得制御手段と、
互いに関連する複数の前記特定のデータを配信される時間順に１つのデータとして連結した連結データを生成させるデータ連結制御手段と、
を具備したことを特徴としたデータ処理装置。
【請求項２】
請求項１に記載のデータ処理装置であって、
前記データ連結制御手段は、前記連結データを生成させる処理として、前記データ取得手段で前記特定のデータを取得したことを認識すると、取得した前記特定のデータを従前に生成した前記連結データの終端に連結させる
ことを特徴としたデータ処理装置。
【請求項３】
請求項１に記載のデータ処理装置であって、
前記データ連結制御手段は、前記連結データを生成させる処理として、前記データ取得手段で前記特定のデータを複数取得したことを認識すると、取得した複数の前記特定のデータを連結した前記連結データを生成させる
ことを特徴としたデータ処理装置。
【請求項４】
請求項１ないし請求項３のいずれかに記載のデータ処理装置であって、
前記データ連結制御手段は、特定数以下の前記特定のデータを連結した前記連結データを生成させる
ことを特徴としたデータ処理装置。
【請求項５】
請求項４に記載のデータ処理装置であって、
前記特定数に関する特定数情報を取得する特定数情報取得手段を具備し、
前記データ連結制御手段は、前記特定数情報の特定数以下の前記特定のデータを連結した前記連結データを生成させる
を具備したことを特徴としたデータ処理装置。
【請求項６】
請求項４または請求項５に記載のデータ処理装置であって、
前記特定数の前記特定のデータを連結した前記連結データを第１の記憶手段に記憶させ、前記特定数未満の数の前記特定のデータを連結した前記連結データを第２の記憶手段に記憶させる記憶制御手段を具備した
ことを特徴としたデータ処理装置。
【請求項７】
請求項６に記載のデータ処理装置であって、
前記特定数未満の数の前記特定のデータを連結した前記連結データを前記第２の記憶手段に記憶させるか否かに関する記憶要求情報を取得する記憶要求情報取得手段を具備し、
前記記憶制御手段は、前記記憶要求情報に基づいて前記連結データを前記第２の記憶手段に記憶させる
ことを特徴としたデータ処理装置。
【請求項８】
請求項１ないし請求項７のいずれかに記載のデータ処理装置であって、
前記内容情報に基づいて、前記取得要求情報で取得が要求される前記特定のデータの前記特定の内容に関する特定内容情報を生成する特定内容情報生成手段を具備し、
前記データ連結制御手段は、前記連結データおよび前記特定内容情報を関連付けさせる
ことを特徴としたデータ処理装置。
【請求項９】
請求項８に記載のデータ処理装置であって、
前記連結データをデータ出力手段で出力させるデータ出力制御手段と、
前記連結データとして前記データ出力手段で出力される前記特定のデータに対応する前記特定内容情報を特定内容出力手段で出力させる特定内容出力制御手段と、
を具備したことを特徴としたデータ処理装置。
【請求項１０】
請求項８または請求項９に記載のデータ処理装置であって、
前記連結データの内容を示す連結内容情報および前記連結データの前記特定のデータにそれぞれ対応する前記特定内容情報を階層状で連結内容出力手段で出力させる連結内容出力制御手段を具備した
ことを特徴としたデータ処理装置。
【請求項１１】
演算手段により、複数のデータを処理するデータ処理方法であって、
前記演算手段は、
所定のデータの内容情報および配信時間情報を含む前記データの案内情報を取得し、
特定の前記データの取得を要求する取得要求情報を取得し、
前記内容情報および前記配信時間情報に基づいて、データ取得手段に前記取得要求情報で取得が要求される前記特定のデータを取得させる制御をし、
互いに関連する複数の前記特定のデータを配信される時間順に１つのデータとして連結した連結データを生成させる
ことを特徴とするデータ処理方法。
【請求項１２】
請求項１１に記載のデータ処理方法を演算手段に実行させる
ことを特徴としたデータ処理プログラム。
【請求項１３】
請求項１２に記載のデータ処理プログラムが演算手段にて読取可能に記録された
ことを特徴とした記録媒体。
【発明の詳細な説明】
【技術分野】
【０００１】
本発明は、複数のデータを処理するデータ処理装置、その方法、そのプログラム、および、記録媒体に関する。
【背景技術】
【０００２】
従来、例えば放送番組を記録して、この記録した放送番組を出力装置で出力させる構成が知られている（例えば、特許文献１参照）。
【０００３】
この特許文献１に記載のものは、タイトル抽出部で録画された番組のタイトル情報をタイトル情報記憶部に格納する。そして、タイトル情報記憶部に格納されたタイトル情報の中から同一タイトル名を有するタイトル情報を検索して、重複したタイトル名を集めて１つのタイトルとしたタイトルリストを生成する。この後、このタイトルリストを表示部で適宜表示させる。
【０００４】
【特許文献１】特開２００４−１３３９８４号公報（第４頁−第５頁）
【発明の開示】
【発明が解決しようとする課題】
【０００５】
しかしながら、上述したような特許文献１のような構成では、それぞれ独立した番組データとして録画された番組データのうち、同一タイトルを有する複数の番組データのタイトルを１つのタイトルとして表示させるだけである。このため、例えば同一タイトルを有する複数の番組データを記録媒体に記録する際に、各番組データのそれぞれに対して記録処理を実施する必要があり、処理が煩雑になるという問題点が一例として挙げられる。
【０００６】
本発明は、このような点に鑑みて、複数のデータの処理が容易となるデータ処理装置、その方法、そのプログラム、および、記録媒体を提供することを１つの目的とする。
【課題を解決するための手段】
【０００７】
請求項１に記載の発明は、所定のデータの内容情報および配信時間情報を含む前記データの案内情報を取得する案内情報取得手段と、特定の前記データの取得を要求する取得要求情報を取得する取得要求情報取得手段と、前記内容情報および前記配信時間情報に基づいて、データ取得手段に前記取得要求情報で取得が要求される前記特定のデータを取得させる制御をするデータ取得制御手段と、互いに関連する複数の前記特定のデータを配信される時間順に１つのデータとして連結した連結データを生成させるデータ連結制御手段と、を具備したことを特徴としたデータ処理装置である。
【０００８】
請求項１１に記載の発明は、演算手段により、複数のデータを処理するデータ処理方法であって、前記演算手段は、所定のデータの内容情報および配信時間情報を含む前記データの案内情報を取得し、特定の前記データの取得を要求する取得要求情報を取得し、前記内容情報および前記配信時間情報に基づいて、データ取得手段に前記取得要求情報で取得が要求される前記特定のデータを取得させる制御をし、互いに関連する複数の前記特定のデータを配信される時間順に１つのデータとして連結した連結データを生成させることを特徴とするデータ処理方法である。
【０００９】
請求項１２に記載の発明は、請求項１１に記載のデータ処理方法を演算手段に実行させることを特徴としたデータ処理プログラムである。
【００１０】
請求項１３に記載の発明は、請求項１２に記載のデータ処理プログラムが演算手段にて読取可能に記録されたことを特徴とした記録媒体である。
【発明を実施するための最良の形態】
【００１１】
以下に、本発明の一実施の形態を図面に基づいて説明する。本実施の形態では、本発明のデータ処理装置を備えた記録再生装置を例示して説明するが、これに限らず、データを記録するのみの記録装置、さらには記録装置や記録再生装置に記録されたデータを処理する独立したデータ処理装置などとしても適用できる。また、本実施の形態において、データとしてテレビ放送番組のコンテンツデータを例えばＥＰＧ（Electric Program Guide）データに基づく番組表に基づいて取得する処理に関して説明するが、これに限らず、ラジオ放送番組、衛星放送番組、配信される音楽や映像などのコンテンツ、ゲームソフトウェアなどの各種プログラムなどをもデータの対象とすることができ、各データに関する情報を修正するいずれの構成が適用できる。なお、本実施の形態において、利用者により設定入力される録画開始日時や録画終了日時あるいはチャンネルなどに基づいて予約録画をする処理や、ＥＰＧデータおよび利用者により設定入力されるキーワードに基づいてキーワードに関連するコンテンツの予約録画をする処理を、通常予約録画処理と適宜称して説明する。また、例えば連続ドラマやシリーズ番組などの互いに関連する複数のコンテンツを放送日時順に１つのコンテンツとして連結して録画する処理を、追記録画処理と適宜称して説明する。図１は、本実施の形態におけるコンテンツ記録再生システムの概略構成を示すブロック図である。図２は、番組情報テーブルの概略構成を示す模式図である。図３は、追記録画データの概略構成を示す模式図である。図４は、追記録画処理関連情報の概略構成を示す模式図である。図５は、記録再生装置を構成するＣＰＵの概略構成を示す模式図である。
【００１２】
〔コンテンツ記録再生システムの構成〕
図１において、１００はコンテンツ記録再生システム（以下、記録再生システムと称す）で、この記録再生システムは、例えばテレビ放送番組などのコンテンツの音声データ、映像データ、データ放送用データなどを有するデータとしてのコンテンツデータを記録したり、記録したコンテンツデータを再生したりするシステムである。そして、記録再生システム１００は、記録再生装置２００と、データ出力手段および特定内容出力手段としての出力装置３００と、を備えている。
【００１３】
出力装置３００は、例えばパーソナルコンピュータ、テレビジョン、携帯電話、ＰＨＳ（Personal Handyphone System）、ＰＤＡ（Personal Digital Assistant）などが例示できる。この出力装置３００は、記録再生装置２００から出力されるコンテンツデータを受信して出力する。そして、この出力装置３００は、音声出力部３１０と、表示部３２０と、などを備えている。
【００１４】
音声出力部３１０は、例えば図示しないスピーカなどの発音手段を有している。この音声出力部３１０は、記録再生装置２００からアナログ信号やデジタル信号として送信される音声データを発音手段から音声として出力させる処理をする。なお、発音手段は、例えば図示しないＴＶ受信機で受信したＴＶ音声データなどをも適宜出力可能である。
【００１５】
表示部３２０は、記録再生装置２００からアナログ信号やデジタル信号として送信される映像データ、データ放送用データ、ＥＰＧデータ、合成データなどを表示させる。ここで、表示させる映像データとしては、テレビ放送番組の映像などが例示できる。また、データ放送用データとしては、テレビ放送番組の字幕やデータ放送などが例示できる。さらに、ＥＰＧデータとしては、例えば各チャンネルで放送されるテレビ放送番組の番組名、内容、放送開始日時などが記載された番組表などが例示できる。また、合成データとしては、テレビ放送番組の映像に字幕を重畳させた合成映像や、データ放送と番組表とを並べた映像などが例示できる。この表示部３２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。なお、表示部３２０は、例えばＴＶ受信機で受信したＴＶ映像データなどをも適宜出力可能である。 
【００１６】
記録再生装置２００は、ＭＰＥＧ２−ＴＳ（Transport Stream）として配信される音声データ、映像データ、データ放送用データなどを有するコンテンツデータを取得して記録させるとともに、出力装置３００で出力させる処理をする。また、記録再生装置２００は、記録させたコンテンツデータを適宜再生して出力装置３００で出力させる処理をする。さらに、記録再生装置２００は、例えば連続ドラマやシリーズ番組などの互いに関連する複数のコンテンツデータの追記録画処理を適宜実施する。そして、記録再生装置２００は、通信手段２１０と、デマルチプレクサ（Demultiplexer；Ｄｅｍｕｘ）２２０と、デコーダ２３０と、データ取得手段およびデータ連結手段としての記録再生処理手段２５０と、入力手段２６０と、ハードディスクドライブ（Hard Disk Drive；ＨＤＤ）２７０と、メモリ２８０と、演算手段としてのＣＰＵ（Central Processing Unit）２９０と、などを備えている。なお、本実施の形態においては、情報の配信形態としてデジタル放送に利用されるＭＰＥＧ２−ＴＳを例にして記載するが、これに限られずアナログ放送（例えばＮＴＳＣ方式）による音声データ、映像データの配信などについても適用できる。
【００１７】
通信手段２１０は、外部から入力されるコンテンツデータなどの各種情報を取得したり、取得しているコンテンツデータなどの各種情報を外部へ適宜出力したりする。そして、この通信手段２１０は、例えば地上波デジタル放送や衛星デジタル放送などの放送波を受信するアンテナ２１１が接続され、アンテナ２１１からアナログ信号やデジタル信号として送信される情報、例えば複数のＭＰＥＧ２−ＴＳから利用者により選択されたテレビ放送番組に対応するＭＰＥＧ２−ＴＳを取得する。さらに、通信手段２１０は、取得したＭＰＥＧ２−ＴＳをＤｅｍｕｘ２２０へ出力する。また、通信手段２１０は、高速データ処理が可能な例えばＩＥＥＥ（Institute of Electrical and Electronic Engineers）１３９４規格のインターフェースを有し、記録再生装置２００の外部に設けられた図示しない外部装置からデジタル信号として送信されるＭＰＥＧ２−ＴＳや後述するパーシャルＴＳなどを取得し、Ｄｅｍｕｘ２２０へ出力する。さらに、通信手段２１０は、記録再生処理手段２５０から出力されるパーシャルＴＳを取得し、適宜処理して記録再生装置２００の外部に設けられた図示しない外部装置へデジタル信号として送信する。
【００１８】
Ｄｅｍｕｘ２２０は、デコーダ２３０と、記録再生処理手段２５０と、ＣＰＵ２９０と、などが接続され、通信手段２１０からＭＰＥＧ２−ＴＳを取得し、この取得したＭＰＥＧ２−ＴＳからＴＳパケットを適宜分離して出力する。具体的には、Ｄｅｍｕｘ２２０は、ＣＰＵ２９０の制御により、音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を取得する。そして、Ｄｅｍｕｘ２２０は、これら取得した音声パケットと、映像パケットと、データパケットと、をデコーダ２３０へ出力する。また、Ｄｅｍｕｘ２２０は、ＣＰＵ２９０の制御により、取得したＭＰＥＧ２−ＴＳから選択されたテレビ放送番組に対応した各ＴＳパケットを取得すると、これら各ＴＳパケットを一連のデータ列構造のＴＳ、すなわちパーシャルＴＳに再構成し、記録再生処理手段２５０へ出力する。さらに、Ｄｅｍｕｘ２２０は、ＣＰＵ２９０の制御により、通信手段２１０や記録再生処理手段２５０からパーシャルＴＳを適宜取得すると、このパーシャルＴＳを、音声パケットと、映像パケットと、データパケットと、に分離してデコーダ２３０へ出力する。
【００１９】
ここで、ＥＰＧデータは、通信手段２１０で取得可能な各ＭＰＥＧ２−ＴＳのテレビ放送番組などのコンテンツに関する情報が、例えばＢＭＬ（Broadcast Markup Language）やＸＭＬ（eXtensible Markup Language）などのテキスト形式で記載されたデータである。すなわち、ＥＰＧデータは、詳細は後述するが、番組名、番組の内容などに関する番組記述、放送開始日時、番組時間の長さ、チャンネル番号、ジャンル、シリーズ名などの情報が、１つのデータ構造として構成されている。
【００２０】
デコーダ２３０は、Ｄｅｍｕｘ２２０と、ＯＳＤ２４０と、ＣＰＵ２９０と、出力装置３００と、などに接続され、Ｄｅｍｕｘ２２０から取得した各パケットを適宜復調し、ＯＳＤ２４０や出力装置３００へ適宜出力する。具体的には、デコーダ２３０は、ＣＰＵ２９０の制御により、Ｄｅｍｕｘ２２０から音声パケットを取得し、この音声パケットに組み込まれた音声データを復調して、アナログ信号として出力装置３００の音声出力部３１０へ送信する。また、Ｄｅｍｕｘ２２０から映像パケットを取得し、この映像パケットに組み込まれた映像データを復調して、出力装置３００へ出力する。さらに、Ｄｅｍｕｘ２２０からデータパケットを取得し、このデータパケットに組み込まれたデータ放送用データやＥＰＧデータなどを復調して、出力装置３００へ出力する。また、デコーダ２３０は、データパケットにＥＰＧデータが組み込まれている場合、ＣＰＵ２９０の制御により、このＥＰＧデータをＨＤＤ２７０へ適宜出力する。
【００２１】
記録再生処理手段２５０は、ＨＤＤ２７０と、ＣＰＵ２９０と、などに接続されている。そして記録再生処理手段２５０は、Ｄｅｍｕｘ２２０からパーシャルＴＳを適宜取得してＨＤＤ２７０へ記憶させたり、ＨＤＤ２７０へ記憶させたパーシャルＴＳを適宜取得して通信手段２１０やＤｅｍｕｘ２２０へ出力したりする。
【００２２】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。この操作ボタンや操作つまみの入力操作の内容としては、例えば記録再生装置２００の動作内容の設定などの設定事項である。具体的には、テレビ放送番組の録画や再生に関する設定、通信手段２１０で受信するＭＰＥＧ２−ＴＳの設定などが例示できる。また、入力手段２６０は、入力操作に応じて、録画や再生の実施を要求する旨の要求情報を生成する手段としても機能する。そして、入力手段２６０は、設定事項の入力操作により、各種情報を操作信号としてＣＰＵ２９０へ送信して設定させる。ここで、入力手段２６０としては、例えば図示しないリモートコントローラ（以下、リモコンと称す）より赤外線を介して送信される各種情報を受信して、この各種情報を操作信号としてＣＰＵ２９０へ送信するリモコン受光部を備えた構成などとしてもよい。
【００２３】
ＨＤＤ２７０は、ＣＰＵ２９０などに接続されている。このＨＤＤ２７０は、例えばＡＴＡ（AT Attachment）インターフェースにより制御される。なお、ここではＨＤＤ２７０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ＨＤＤ２７０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成などとしてもよい。そして、ＨＤＤ２７０は、ＥＰＧデータや記録再生処理手段２５０から入力されるコンテンツのパーシャルＴＳ、すなわちコンテンツデータなどを適宜読み出し可能に記憶する。
【００２４】
すなわち、ＨＤＤ２７０は、図示しない、ＥＰＧ記憶領域と、データ記憶領域と、第２の記憶手段としての追記中データ記憶領域と、第１の記憶手段としての追記完了データ記憶領域と、を備えている。なお、ここでは、上述した４つ記憶領域を設けた構成について例示したが、これに限らず例えばＨＤＤ２７０に上述した４つ記憶領域を設けない構成としてもよい。また、ＥＰＧ記憶領域、通常録画データ記憶領域、追記中データ記憶領域、追記完了データ記憶領域は、メモリ２８０や、記録再生装置２００に接続される外部記憶手段に構築される構成としてもよい。
【００２５】
ＥＰＧ記憶領域は、ＥＰＧデータを例えば図２に示すような案内情報としての番組情報テーブル４００として適宜読み出し可能に記憶する。この番組情報テーブル４００は、デコーダ２３０から出力されるＥＰＧデータに記載されたＥＰＧに基づいて生成される。ここで、各放送局から発信される放送波に含まれるＥＰＧは、その放送局で放送予定のテレビ放送番組を中心とした番組情報である。番組情報テーブル４００は、このような各放送局のＥＰＧを組み合わせたテーブル構造としてＥＰＧ記憶領域に記憶される。そして、この番組情報テーブル４００は、例えばテレビ放送番組の放送チャンネルに関するチャンネル情報４２０と、番組基本情報４３０と、などが１つのデータ構造として構成される番組情報４１０を複数備えたテーブル構造に構成されている。
【００２６】
チャンネル情報４２０は、テレビ放送番組が放送されるチャンネルに関する情報である。このチャンネル情報４２０は、テレビ放送番組が放送されるエリアによってそれぞれ個別に設定される。
【００２７】
番組基本情報４３０は、テレビ放送番組の放送時間や、番組内容に関する詳細な情報などが記録されている。そして、番組基本情報４３０は、例えば番組ＩＤ情報４３１と、配信時間情報としての番組開始時刻情報４３２と、配信時間情報としての番組終了時刻情報４３３と、内容情報としての番組タイトル情報４３４と、番組サブタイトル情報４３５と、番組ジャンル情報４３６と、番組記述情報４３７と、などを備え、１つのデータ構造として構成されている。この番組基本情報４３０に記載される各種情報は、例えばテキスト形式すなわち文字列の簡単な構造で記述されている。
【００２８】
番組ＩＤ情報４３１は、テレビ放送番組を特定するために、各番組基本情報４３０に付与される固有の識別情報である。この番組ＩＤ情報４３１には、例えば、テレビ放送番組の録画予約時において、テレビ放送番組を識別するために用いられる、いわゆるＧコードなどが例示できる。また、Ｇコードに限らず、その他のテレビ放送番組を識別する固有のＩＤ情報であってもよい。
【００２９】
番組開始時刻情報４３２は、テレビ放送番組の放送が開始される予定時刻に関する情報である。この番組開始時刻情報４３２には、テレビ放送番組が放送される年月日および時刻が記載されている。
【００３０】
番組終了時刻情報４３３は、テレビ放送番組の放送が終了する予定時刻に関する情報である。この番組終了時刻情報４３３には、テレビ放送番組の放送が終了する年月日および時刻が記載されている。
【００３１】
番組タイトル情報４３４は、テレビ放送番組のタイトル名などの名称に関する情報である。番組サブタイトル情報４３５は、テレビ放送番組のサブタイトル名などの名称に関する情報である。
【００３２】
番組ジャンル情報４３６は、テレビ放送番組を内容毎に種別であるジャンル分けした場合に、どのジャンルに属するかを記述した情報である。このジャンルとしては、例えば「バラエティ」、「ドラマ」、「アニメ」、「映画」、「報道」、「ニュース」、「スポーツ」などが例示できる。また、番組ジャンル情報４３６として、例えば「バラエティ」に対して、「歌謡」、「演芸」などの小分類としてさらにジャンル分けされた情報が関連付けられていてもよい。
【００３３】
番組記述情報４３７は、例えばテレビ放送番組の放送内容を簡単に説明した記述、あるいは放送番組のあらすじ、また、出演者や監督、脚本家などの個人名称などのテレビ放送番組の詳細な内容がテキスト形式で記述された情報である。
【００３４】
通常録画データ記憶領域は、通常予約録画処理で録画されたコンテンツデータを適宜読み出し可能に記憶する。
【００３５】
追記中データ記憶領域は、追記録画処理で生成される例えば図３に示すような追記録画データ７００を適宜読み出し可能に記憶する。この追記録画データ７００には、新たにコンテンツデータが適宜連結される。また、追記録画データ７００には、例えば固有の数字や文字から構成される識別情報が付与されている。そして、追記録画データ７００は、連結データとしての追記コンテンツデータ７０１と、追記チャプタ情報７０２と、などが１つのデータ構造として関連付けられて構成されている。
【００３６】
追記コンテンツデータ７０１は、例えば連続ドラマやシリーズ番組などの互いに関連する第１のコンテンツデータ７１１、第２のコンテンツデータ７１２、第３のコンテンツデータ７１３、などが（以下、第Ｎ（Ｎは１以上の自然数）のコンテンツデータ７１Ｎと適宜称す）が時系列順に関連付けられた１つのデータ構造として、すなわち順次付加される状態のデータ構造として構成されている。具体的には、追記コンテンツデータ７０１は、第（Ｎ＋１）のコンテンツデータ７１（Ｎ＋１）が第Ｎのコンテンツデータ７１Ｎの一連のデータ構造における終端に連結された状態に構成されている。なお、第Ｎのコンテンツデータ７１Ｎが、本発明の特定のデータとして機能する。
【００３７】
追記チャプタ情報７０２は、第１のコンテンツデータ７１１に関連するチャプタ情報７２１、第２のコンテンツデータ７１２に関連するチャプタ情報７２２、第３のコンテンツデータ７１３に関連するチャプタ情報７２３、など（以下、チャプタ情報７２１，７２２，７２３などをチャプタ情報７２Ｎと適宜称す）が１つのデータ構造として関連付けられて構成されている。このチャプタ情報７２Ｎは、第Ｎのコンテンツデータ７１Ｎの内容に関する情報である。そして、チャプタ情報７２Ｎは、追記放送日付情報７３１と、追記チャンネル情報７３２と、追記放送時間情報７３３と、追記タイトル情報７３４と、追記番組記述情報７３５と、追記チャプタ番号情報７３６と、などが１つのデータ構造として関連付けられて構成されている。なお、チャプタ情報７２Ｎが、本発明の特定内容情報として機能する。
【００３８】
追記放送日付情報７３１は、第Ｎのコンテンツデータ７１Ｎが放送された日付を示す情報である。追記チャンネル情報７３２は、第Ｎのコンテンツデータ７１Ｎが放送されたチャンネルを示す情報である。追記放送時間情報７３３は、第Ｎのコンテンツデータ７１Ｎが放送された時間を示す情報である。追記タイトル情報７３４は、第Ｎのコンテンツデータ７１Ｎのタイトルを示す情報である。追記番組記述情報７３５は、第Ｎのコンテンツデータ７１Ｎの内容や出演者などに関する番組記述を示す情報である。追記チャプタ番号情報７３６は、第Ｎのコンテンツデータ７１Ｎが例えばシリーズの何回目に放送されたものかや、追記録画を開始してから何回目に録画したものかを示す情報である。
【００３９】
なお、追記録画データ７００の構成としては、上述したような構成に限らず例えば以下のような構成などとしてもよい。すなわち、第１のコンテンツデータ７１１、チャプタ情報７２１、第２のコンテンツデータ７１２、チャプタ情報７２２、などの順序に関連付けられた１つのデータ構造としてもよい。
【００４０】
追記完了データ記憶領域は、追記録画処理が終了して新たにコンテンツデータが連結されない追記録画データ７００を適宜読み出し可能に記憶する。具体的には、追記完了データ記憶領域は、例えば利用者が指定する数のコンテンツデータが連結された追記録画データ７００や、最終回で放送が終了したテレビ放送番組に対応する追記録画データ７００を適宜読み出し可能に記憶する。
【００４１】
メモリ２８０は、通信手段２１０から出力されるＭＰＥＧ２−ＴＳから所望のコンテンツデータを取得して記録する際や、記録したコンテンツデータを再生する際に必要な各種情報などを適宜読み出し可能に記憶する。また、メモリ２８０は、通常予約録画処理を実施する際に利用される通常録画予約情報を適宜読み出し可能に記憶する。
【００４２】
この通常録画予約情報は、録画日付情報と、録画開始時刻情報と、録画終了時刻情報と、録画チャンネル情報と、などが１つのデータ構造として関連付けられて構成されている。録画日付情報は、録画を実施する日付に関する情報である。録画開始時刻情報は、録画を開始する時刻に関する情報である。録画終了時刻情報は、録画を終了する時刻に関する情報である。録画チャンネル情報は、録画するテレビ放送番組のチャンネルに関する情報である。
【００４３】
さらに、メモリ２８０は、追記録画予約の設定や追記録画処理の実施の際に利用される例えば図４に示すような追記録画処理関連情報８００を適宜読み出し可能に記憶する。そして、この追記録画処理関連情報８００は、追記対象番組特定情報８１０と、最大録画番組数情報８２０と、データ移動フラグ８３０と、追記録画予約情報８４０と、録画終了数情報８５０と、チャプタ番号情報８６０と、追記データ識別情報８７０と、などを適宜読み出し可能に記憶する。
【００４４】
追記対象番組特定情報８１０は、追記録画の対象となるテレビ放送番組（以下、追記録画対象番組と称す）を特定するための情報である。具体的には、この追記対象番組特定情報８１０は、テレビ放送番組のタイトルに関する情報である。なお、ここでは、追記対象番組特定情報８１０としてタイトルに関する情報を例示したが、これに限らず例えばテレビ放送番組やキーワードあるいはジャンルなどに関する情報など、追記録画対象番組を特定可能ないずれの情報を適用してもよい。また、この追記対象番組特定情報８１０は、入力手段２６０によりテキスト入力されたものであってもよいし、番組情報テーブル４００から適宜取得したものであってもよい。
【００４５】
最大録画番組数情報８２０は、１つの追記録画データ７００に組み込まれるコンテンツデータの最大数（以下、最大録画番組数と称す）を示す情報である。この最大録画番組数情報８２０には、最大録画番組数を特定数である指定数Ｍ（Ｍは自然数）に指定する旨の指定数「Ｍ」、または、最大録画番組数を指定しない旨の「０」が組み込まれる。
【００４６】
データ移動フラグ８３０は、最大録画番組数情報８２０で示される指定数Ｍのコンテンツデータが連結された追記録画データ７００を、追記完了データ記憶領域に移動させるか否を示すものである。このデータ移動フラグ８３０は、「０」であれば追記録画データ７００を追記完了データ記憶領域に移動させない旨を示し、「１」であれば追記完了データ記憶領域に移動させる旨を示す。
【００４７】
追記録画予約情報８４０は、追記録画対象番組の追記録画予約に関する情報である。この追記録画予約情報８４０は、追記録画予約に基づいて追記録画対象番組に対応する第Ｎのコンテンツデータ７１Ｎの録画処理が実施されると、ＣＰＵ２９０により第（Ｎ＋１）のコンテンツデータ７１（Ｎ＋１）に対応する追記録画予約の情報に適宜更新される。そして、追記録画予約情報８４０は、通常録画予約情報と同様の構成を有し、録画日付情報と、録画開始時刻情報と、録画終了時刻情報と、録画チャンネル情報と、などが１つのデータ構造として関連付けられて構成されている。
【００４８】
録画終了数情報８５０は、追記対象番組特定情報８１０で特定される追記録画対象番組の追記録画データ７００がＨＤＤ２７０に存在するか否かや、追記録画データ７００に組み込まれているコンテンツデータの数（以下、録画終了数と称す）を示す情報である。この録画終了数情報８５０は、「０」であれば追記録画対象番組の追記録画データ７００がＨＤＤ２７０に存在しないことを示し、１以上の数の「Ｒ」であれば追記録画対象番組の追記録画データ７００が存在することを示す。また、録画終了数情報８５０は、ＣＰＵ２９０により適宜更新される。
【００４９】
チャプタ番号情報８６０は、第Ｎのコンテンツデータ７１Ｎが例えばシリーズの何回目に放送されたものかや、追記録画を開始してから何回目に録画したものかを示す情報である。このチャプタ番号情報８６０は、チャプタ情報７２Ｎの追記チャプタ番号情報７３６に適宜組み込まれる。また、チャプタ番号情報８６０は、ＣＰＵ２９０により適宜更新される。
【００５０】
追記データ識別情報８７０は、追記対象番組特定情報８１０で特定される追記録画対象番組に対応する追記録画データ７００を識別するための情報である。この追記データ識別情報８７０には、追記録画データ７００に付与された識別情報が組み込まれる。また、追記データ識別情報８７０は、ＣＰＵ２９０により適宜更新される。
【００５１】
さらに、メモリ２８０は、記録再生装置２００全体を動作制御するＯＳ（Operating System）上に展開される各種プログラムなどを適宜読み出し可能に記憶している。このメモリ２８０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２８０としては、ＨＤ、ＤＶＤ、光ディスクなどの着脱可能な記録媒体に読み出し可能に記憶するドライブやドライバなどを備えた構成としてもよい。
【００５２】
ＣＰＵ２９０は、各種構成が接続され、各構成の動作を制御する。このＣＰＵ２９０は、例えば図５に示すように、各種プログラムとして、通常録画予約設定手段２９１と、通常録画制御手段２９２と、追記録画予約設定手段２９３と、データ取得制御手段、データ連結制御手段、および、特定内容情報生成手段としての追記録画制御手段２９４と、記憶制御手段としてのデータ移動制御手段２９５と、データ出力制御手段および特定内容出力制御手段としての再生制御手段２９６と、計時手段２９７と、などを備えている。
【００５３】
通常録画予約設定手段２９１は、入力手段２６０から操作信号として送信される通常予約要求情報に基づいて、通常録画予約情報を生成して通常録画予約を設定する。具体的には、通常録画予約設定手段２９１は、通常予約要求情報にキーワードが記載されている場合、通信手段２１０で取得したＥＰＧデータに基づいてＨＤＤ２７０に記憶された番組情報テーブル４００から、このキーワードに一致あるいは関連する番組名、番組記述、ジャンル、シリーズ名などのコンテンツを検索する。そして、この検索したコンテンツに対応する番組情報４１０に基づいて、録画日付情報と、録画開始時刻情報と、録画終了時刻情報と、録画チャンネル情報と、などを組み込んだ通常録画予約情報を生成して、メモリ２８０に記憶させる。ここで、通常録画予約設定手段２９１は、キーワードに例えば関連するコンテンツを複数検索できたことを認識すると、これら検索した各コンテンツにそれぞれ対応する通常録画予約情報を生成してメモリ２８０に記憶させる。また、通常録画予約設定手段２９１は、通常予約要求情報に録画開始日時、録画終了日時、チャンネルなどが記載されている場合、これら各種情報が記載された通常録画予約情報を生成して、メモリ２８０に記憶させる。
【００５４】
通常録画制御手段２９２は、通信手段２１０、Ｄｅｍｕｘ２２０、記録再生処理手段２５０などの動作を制御して、所望のテレビ放送番組のコンテンツデータを受信してＨＤＤ２７０に適宜読み出し可能に記憶させる処理をする。具体的には、通常録画制御手段２９２は、入力手段２６０における入力操作に基づく操作信号により現在受信して再生しているコンテンツデータを記憶、あるいは、通常録画予約情報に基づいて計時手段２９７で計時する現在時刻が通常録画予約情報における録画開始日時となるコンテンツデータを受信させて記憶させる処理をする。そして、コンテンツデータを記憶させる処理すなわち録画処理を実施すると、このコンテンツデータに固有の番号を付与する。
【００５５】
追記録画予約設定手段２９３は、入力手段２６０から操作信号として送信される取得要求情報、特定数情報、および、記憶要求情報としての追記録画要求情報に基づいて、追記録画予約を設定する。そして、追記録画予約設定手段２９３は、取得要求情報取得手段としての特定情報生成手段２９３Ａと、特定数情報取得手段としての番組数情報生成手段２９３Ｂと、記憶要求情報取得手段としての移動フラグ設定手段２９３Ｃと、関連情報生成手段２９３Ｄと、案内情報取得手段としての追記録画予約更新手段２９３Ｅと、などを備えている。
【００５６】
なお、特定情報生成手段２９３Ａ、番組数情報生成手段２９３Ｂ、移動フラグ設定手段２９３Ｃ、追記録画予約更新手段２９３Ｅ、追記録画制御手段２９４、データ移動制御手段２９５、および、再生制御手段２９６にて、本発明のデータ処理装置が構成されている。ここで、本発明のデータ処理装置としては、番組数情報生成手段２９３Ｂ、移動フラグ設定手段２９３Ｃ、データ移動制御手段２９５、および、再生制御手段２９６のうちの少なくともいずれか１つを備えない構成としてもよい。
【００５７】
特定情報生成手段２９３Ａは、追記対象番組特定情報８１０を適宜生成する。具体的には、特定情報生成手段２９３Ａは、追記録画要求情報を取得する。そして、この追記録画要求情報に追記録画対象番組のタイトルがテキスト入力されていることを認識すると、このタイトルを組み込んだ追記対象番組特定情報８１０を生成する。また、特定情報生成手段２９３Ａは、追記録画要求情報に番組情報テーブル４００から追記録画対象番組を特定する旨が記載されていることを認識すると、例えば番組情報テーブル４００に基づく番組表を出力装置３００で表示させる。さらに、番組表に基づいて所定の追記録画対象番組を特定する旨の操作信号を取得すると、この追記録画対象番組に対応する番組情報４１０を取得する。そして、この番組情報４１０に基づいて、番組タイトル情報４３４のタイトルを組み込んだ追記対象番組特定情報８１０を生成する。
【００５８】
番組数情報生成手段２９３Ｂは、最大録画番組数情報８２０を適宜生成する。具体的には、番組数情報生成手段２９３Ｂは、追記録画要求情報に基づいて、最大録画番組数を指定数Ｍに設定する旨が記載されていることを認識すると、指定数「Ｍ」を組み込んだ最大録画番組数情報８２０を生成する。また、最大録画番組数を指定しない旨が記載されていることを認識すると、「０」を組み込んだ最大録画番組数情報８２０を生成する。
【００５９】
移動フラグ設定手段２９３Ｃは、データ移動フラグ８３０を適宜生成する。具体的には、移動フラグ設定手段２９３Ｃは、追記録画要求情報に、指定数Ｍのコンテンツデータが組み込まれた追記録画データ７００を追記完了データ記憶領域に移動させる旨が記載されていることを認識すると、「１」を組み込んだデータ移動フラグ８３０を生成する。また、追記完了データ記憶領域に移動させない旨が記載されていることを認識すると、「０」を組み込んだデータ移動フラグ８３０を生成する。
【００６０】
関連情報生成手段２９３Ｄは、追記録画処理関連情報８００を適宜生成して追記録画予約を設定する。具体的には、関連情報生成手段２９３Ｄは、「１」が組み込まれたチャプタ番号情報８６０を生成する。さらに、各種情報が組み込まれていない、追記録画予約情報８４０と、録画終了数情報８５０と、追記データ識別情報８７０と、を生成する。そして、これら追記録画予約情報８４０、録画終了数情報８５０、チャプタ番号情報８６０、および、追記データ識別情報８７０と、追記対象番組特定情報８１０と、最大録画番組数情報８２０と、データ移動フラグ８３０と、を組み込んだ追記録画処理関連情報８００を生成して、メモリ２８０に記憶させる。
【００６１】
追記録画予約更新手段２９３Ｅは、追記録画予約情報８４０を適宜更新する処理をする。具体的には、追記録画予約更新手段２９３Ｅは、通信手段２１０、Ｄｅｍｕｘ２２０、デコーダ２３０、記録再生処理手段２５０などの動作を制御して、ＥＰＧデータを取得させて番組情報テーブル４００としてＨＤＤ２７０に記憶させる。また、メモリ２８０から追記録画処理関連情報８００を取得する。そして、この追記録画処理関連情報８００の追記対象番組特定情報８１０で特定される追記対象番組の番組情報４１０が、番組情報テーブル４００に存在していることを認識すると、この番組情報４１０を取得する。ここで、追記録画予約更新手段２９３Ｅは、追記対象番組特定情報８１０のタイトルと同一または類似するタイトルに関する番組タイトル情報４３４が組み込まれた番組情報４１０を取得する。さらに、この番組情報４１０に基づいて、追記対象番組が放送される日時やチャンネルなどを認識する。そして、この認識した各種事項に基づいて、取得した追記録画処理関連情報８００の追記録画予約情報８４０を更新して、この追記録画処理関連情報８００をメモリ２８０に記憶させる。
【００６２】
追記録画制御手段２９４は、追記録画予約設定手段２９３で生成された追記録画要求情報に基づいて、通信手段２１０、Ｄｅｍｕｘ２２０、記録再生処理手段２５０などの動作を制御して、追記録画処理を実施する。具体的には、追記録画制御手段２９４は、メモリ２８０の追記録画処理関連情報８００に基づいて、計時手段２９７で計時する現在時刻が追記録画予約情報８４０における録画開始日時となることを認識すると、この追記録画処理関連情報８００を取得する。そして、この追記録画処理関連情報８００の録画終了数情報８５０に基づいて、録画終了数が「０」である、すなわち追記録画処理関連情報８００に対応する追記録画対象番組の追記録画データ７００が生成されていないことを認識すると、以下のような処理を実施する。例えば、追記録画制御手段２９４は、記録再生処理手段２５０に取得する追記録画対象番組のコンテンツデータを第１のコンテンツデータ７１１として組み込んだ追記コンテンツデータ７０１を生成させる。そして、この追記コンテンツデータ７０１を組み込んだ追記録画データ７００を生成させる。さらに、この追記録画データ７００に固有の識別情報を付与するとともに、この付与した識別情報を追記データ識別情報８７０に組み込む処理すなわち追記データ識別情報８７０の更新処理を実施する。
【００６３】
また、追記録画制御手段２９４は、録画終了数情報８５０に基づいて、録画終了数が１以上の「Ｒ」である、すなわち追記録画処理関連情報８００に対応する追記録画対象番組の追記録画データ７００がＨＤＤ２７０に記憶されていることを認識すると、以下のような処理を実施する。例えば、追記録画制御手段２９４は、記録再生処理手段２５０に、この追記録画処理関連情報８００の追記データ識別情報８７０の識別情報が付与された追記録画データ７００をＨＤＤ２７０から検索させて特定させる。ここで、追記録画データ７００を特定させる構成としては、上述した構成に限らず例えば以下のような構成としてもよい。すなわち、記録再生処理手段２５０に、この追記録画処理関連情報８００の追記対象番組特定情報８１０で特定される追記録画対象番組に対応するチャプタ情報７２ＮをＨＤＤ２７０から検索させる。そして、この検索させたチャプタ情報７２Ｎが組み込まれた追記録画データ７００を、追記録画処理関連情報８００に対応する追記録画対象番組の追記録画データ７００として特定させる構成としてもよい。さらに、追記録画制御手段２９４は、記録再生処理手段２５０に、取得する追記録画対象番組のコンテンツデータをこの特定させた追記録画データ７００の追記コンテンツデータ７０１の終端、すなわち第Ｒのコンテンツデータ７１Ｒの終端に第（Ｒ＋１）のコンテンツデータ７１（Ｒ＋１）として連結させる。すなわち、追記録画制御手段２９４は、取得するコンテンツデータを第（Ｒ＋１）のコンテンツデータ７１（Ｒ＋１）として追記録画させる。
【００６４】
さらに、追記録画制御手段２９４は、第１のコンテンツデータ７１１や第（Ｒ＋１）のコンテンツデータ７１（Ｒ＋１）にそれぞれ対応するチャプタ情報７２１やチャプタ情報７２（Ｒ＋１）を生成して、追記録画データ７００に組み込む処理をする。具体的には、追記録画制御手段２９４は、ＨＤＤ２７０から例えば第１のコンテンツデータ７１１に対応するテレビ放送番組の番組情報４１０を取得する。さらに、追記録画処理関連情報８００から追記録画予約情報８４０およびチャプタ番号情報８６０を取得する。そして、追記録画予約情報８４０の録画日付情報を追記放送日付情報７３１として、録画チャンネル情報を追記チャンネル情報７３２として、録画開始時刻情報および録画終了時刻情報を追記放送時間情報７３３として、番組情報４１０の番組タイトル情報４３４を追記タイトル情報７３４として、番組記述情報４３７を追記番組記述情報７３５として、チャプタ番号情報８６０を追記チャプタ番号情報７３６として、それぞれ組み込んだチャプタ情報７２１を生成する。さらに、記録再生処理手段２５０に、このチャプタ情報７２１を第１のコンテンツデータ７１１に関連付けて追記録画データ７００に組み込ませる。なお、第（Ｒ＋１）のコンテンツデータ７１（Ｒ＋１）に関するチャプタ情報７２（Ｒ＋１）も同様にして、追記録画データ７００の追記チャプタ情報７０２に組み込ませる。そして、追記録画制御手段２９４は、チャプタ情報７２１やチャプタ情報７２（Ｒ＋１）を組み込ませた追記録画データ７００を追記中データ記憶領域に記憶させる。
【００６５】
また、追記録画制御手段２９４は、取得した追記録画処理関連情報８００のチャプタ番号情報８６０の値に「１」を加える処理をする。さらに、この追記録画処理関連情報８００の録画終了数情報８５０の値に「１」を加える処理をする。
【００６６】
データ移動制御手段２９５は、記録再生処理手段２５０などの動作を制御して、追記録画データ７００を追記中データ記憶領域から追記完了データ記憶領域へ適宜移動させる処理をする。具体的には、データ移動制御手段２９５は、追記録画データ７００にコンテンツデータが組み込まれたことを認識すると、追記録画制御手段２９４で取得した番組情報４１０の番組記述情報４３７などに基づいて、追記録画させた例えば第（Ｒ＋１）のコンテンツデータ７１（Ｒ＋１）が最終回に該当するか否かを判断する。そして、最終回に該当することを認識すると、追記録画制御手段２９４で追記録画させた追記録画データ７００を追記完了データ記憶領域へ移動させる。
【００６７】
また、データ移動制御手段２９５は、追記録画データ７００にコンテンツデータが組み込まれたことを認識すると、この追記録画データ７００に対応する追記録画処理関連情報８００の録画終了数情報８５０の値が最大録画番組数情報８２０の指定数Ｍと等しいか否かを適宜判断する。さらに、指定数Ｍと等しい、すなわち追記録画データ７００に指定数Ｍのコンテンツデータが追記録画されたと判断すると、データ移動フラグ８３０が「１」に設定されているか否かを判断する。そして、「１」に設定されていると判断すると、追記録画データ７００を追記完了データ記憶領域へ移動させる。
【００６８】
再生制御手段２９６は、Ｄｅｍｕｘ２２０、デコーダ２３０、記録再生処理手段２５０などの動作を制御して、所望のテレビ放送番組のコンテンツデータを出力装置３００へ出力して再生させる処理をする。具体的には、入力手段２６０における例えば出力装置３００で一覧表示されるサムネイルを選択する入力操作などにて特定されたり、いわゆるタイマ再生などあらかじめ所定時間に再生要求されている通常録画データ記憶領域のコンテンツデータをＨＤＤ２７０から読み出し、デコーダ２３０で適宜処理して出力装置３００へ出力する。
【００６９】
また、再生制御手段２９６は、追記中データ記憶領域や追記完了データ記憶領域の追記録画データ７００をＨＤＤ２７０から読み出し、デコーダ２３０で適宜処理してこの追記録画データ７００の第Ｎのコンテンツデータ７１Ｎを出力装置３００へ適宜出力する。さらに、再生制御手段２９６は、例えば追記録画データ７００の第Ｎのコンテンツデータ７１Ｎを再生している状態において、チャプタ情報７２Ｎを表示させる旨の操作信号を取得すると、この第Ｎのコンテンツデータ７１Ｎに対応するチャプタ情報７２Ｎを出力装置３００で表示させる。ここで、チャプタ情報７２Ｎを表示させる構成としては、第Ｎのコンテンツデータ７１Ｎの表示領域の一部にチャプタ情報７２Ｎを表示させる構成や、第Ｎのコンテンツデータ７１Ｎに代えてチャプタ情報７２Ｎを表示させる構成などが例示できるがこれに限らず、適宜他の構成としてもよい。また、例えば第Ｎのコンテンツデータ７１Ｎの再生開始前や再生開始から所定時間経過後に、チャプタ情報７２Ｎを自動的に表示させる構成などとしてもよい。
【００７０】
計時手段２９７は、例えば内部クロックなどの基準パルスに基づいて現在日時を計時する。そして、この計時した現在日時に関する現在日時情報を適宜出力する。
【００７１】
〔コンテンツ記録再生システムの動作〕
次に、記録再生システム１００の動作として、追記録画処理について図面を参照して説明する。図６および図７は、追記録画処理を示すフローチャートである。図８は、追記対象番組の録画処理を示すフローチャートである。
【００７２】
まず、利用者は、入力手段２６０の入力操作により、追記録画処理を要求する旨の追記録画要求情報を設定入力する。そして、記録再生装置２００のＣＰＵ２９０は、図６に示すように、追記録画予約設定手段２９３の特定情報生成手段２９３Ａにて、追記録画要求情報を取得すると（ステップＳ１０１）、この追記録画要求情報に基づいて、追記対象番組特定情報８１０を生成する（ステップＳ１０２）。この後、追記録画予約設定手段２９３は、番組数情報生成手段２９３Ｂにて、追記録画要求情報に基づいて、最大録画番組数が指定されているか否かを判断する（ステップＳ１０３）。
【００７３】
このステップＳ１０３において、最大録画番組数が指定されていると判断した場合、この指定された指定数「Ｍ」を組み込んだ最大録画番組数情報８２０を生成する（ステップＳ１０４）。一方、ステップＳ１０３において、番組数情報生成手段２９３Ｂは、最大録画番組数が指定されていないと判断した場合、「０」を組み込んだ最大録画番組数情報８２０を生成する（ステップＳ１０５）。そして、追記録画予約設定手段２９３は、番組数情報生成手段２９３ＢでステップＳ１０４またはステップＳ１０５において最大録画番組数情報８２０を生成すると、移動フラグ設定手段２９３Ｃにて、追記録画要求情報に基づいて、「０」または「１」を組み込んだデータ移動フラグ８３０を生成する（ステップＳ１０６）。さらに、追記録画予約設定手段２９３は、関連情報生成手段２９３Ｄにて、「１」が組み込まれたチャプタ番号情報８６０を生成する（ステップＳ１０７）。そして、関連情報生成手段２９３Ｄは、これら生成された追記対象番組特定情報８１０、最大録画番組数情報８２０、および、チャプタ番号情報８６０などを組み込んだ追記録画処理関連情報８００を生成して（ステップＳ１０８）、メモリ２８０に記憶させる。
【００７４】
次に、ＣＰＵ２９０は、追記録画制御手段２９４にて、この追記録画処理関連情報８００の録画終了数情報８５０を「０」に設定する（ステップＳ１０９）。そして、追記録画予約設定手段２９３は、追記録画予約更新手段２９３Ｅにて、記録再生処理手段２５０などにＥＰＧデータを取得させ（ステップＳ１１０）、この取得させたＥＰＧデータすなわち番組情報テーブル４００に、追記録画処理関連情報８００の追記対象番組特定情報８１０で特定される追記録画対象番組が存在するか否かを判断する（ステップＳ１１１）。このステップＳ１１１において、存在しないと判断した場合、ステップＳ１１０に戻る。一方、ステップＳ１１１において、追記録画予約更新手段２９３Ｅは、存在すると判断した場合、この追記録画対象番組に対応する番組情報４１０に基づいて、追記録画処理関連情報８００の追記録画予約情報８４０を更新する（ステップＳ１１２）。そして、追記録画制御手段２９４は、追記対象番組の録画処理を実施する（ステップＳ１１３）。
【００７５】
このステップＳ１１３における追記対象番組の録画処理を実施した後、ＣＰＵ２９０は、データ移動制御手段２９５にて、録画処理された例えば第（Ｒ＋１）のコンテンツデータ７１（Ｒ＋１）が最終回に該当するか否かを判断する（ステップＳ１１４）。このステップＳ１１４において、最終回に該当すると判断した場合、指定数Ｍのコンテンツデータが追記録画されているか否かにかかわらず、追記録画データ７００を追記完了データ記憶領域へ移動させて（ステップＳ１１５）、追記録画処理を終了する。一方、ステップＳ１１４において、最終回に該当しないと判断した場合、追記録画処理を強制終了する旨が設定入力されているか否かを判断する（ステップＳ１１６）。そして、ステップＳ１１６において、強制終了する旨が設定入力されていると判断した場合、追記録画処理を終了する。一方、ステップＳ１１６において、データ移動制御手段２９５は、強制終了する旨が設定入力されていないと判断した場合、最大録画番組数情報８２０が「０」か否か、すなわち最大録画番組数が設定されていないか否かを判断する（ステップＳ１１７）。
【００７６】
このステップＳ１１７において、最大録画番組数情報８２０が「０」であり最大録画番組数が設定されていないと判断した場合、ステップＳ１１０に戻る。一方、ステップＳ１１７において、データ移動制御手段２９５は、最大録画番組数情報８２０が「０」ではなく指定数「Ｍ」であると判断した場合、この指定数Ｍと録画終了数情報８５０の値とが等しいか否かを判断する（ステップＳ１１８）。そして、ステップＳ１１８において、等しくない、すなわち追記録画データ７００に指定数Ｍのコンテンツデータが追記録画されていないと判断した場合、ステップＳ１１０に戻る。一方、ステップＳ１１８において、データ移動制御手段２９５は、等しい、すなわち追記録画データ７００に指定数Ｍのコンテンツデータが追記録画されたと判断した場合、データ移動フラグ８３０が「１」に設定されているか否かを判断する（ステップＳ１１９）。このステップＳ１１９において、データ移動フラグ８３０が「１」ではなく「０」に設定されていると判断した場合、指定数Ｍのコンテンツデータが追記録画された追記録画データ７００を追記完了データ記憶領域へ移動させずにステップＳ１０９に戻る。一方、ステップＳ１１９において、データ移動制御手段２９５は、データ移動フラグ８３０が「１」に設定されていると判断した場合、指定数Ｍのコンテンツデータが追記録画された追記録画データ７００を追記完了データ記憶領域へ移動させて（ステップＳ１２０）、追記録画処理を終了する。
【００７７】
追記対象番組の録画処理では、追記録画制御手段２９４は、追記録画処理関連情報８００の録画終了数情報８５０の値が「０」か否かを判断する（ステップＳ２０１）。このステップＳ２０１において、録画終了数情報８５０が「０」であり、追記録画処理関連情報８００に対応する追記録画対象番組の追記録画データ７００が生成されていないと判断した場合、以下のような処理を実施する。すなわち、追記録画制御手段２９４は、記録再生処理手段２５０などの動作を制御して、追記録画予約情報８４０の日時に取得するコンテンツデータを第１のコンテンツデータ７１１として組み込んだ追記録画データ７００を生成させる（ステップＳ２０２）。さらに、この生成させた追記録画データ７００に固有の識別情報を付与する（ステップＳ２０３）とともに、この識別情報を追記録画処理関連情報８００の追記データ識別情報８７０に組み込む（ステップＳ２０４）。
【００７８】
次に、追記録画制御手段２９４は、第１のコンテンツデータ７１１に対応する番組情報４１０や追記録画予約情報８４０あるいはチャプタ番号情報８６０などに基づいて、チャプタ情報７２１を生成する（ステップＳ２０５）。そして、記録再生処理手段２５０に、この生成したチャプタ情報７２１を、第１のコンテンツデータ７１１に関連付けて追記録画データ７００に組み込ませる（ステップＳ２０６）。そして、追記録画制御手段２９４は、録画終了数情報８５０の値に「１」を加える処理とともに（ステップＳ２０７）、チャプタ番号情報８６０の値に「１」を加える処理をして（ステップＳ２０８）、追記対象番組の録画処理を終了する。
【００７９】
一方、ステップＳ２０１において、追記録画制御手段２９４は、録画終了数情報８５０が「０」でないと判断すると、録画終了数が１以上の数の「Ｒ」であると認識する（ステップＳ２０９）とともに、追記録画対象番組の追記録画データ７００がＨＤＤ２７０に存在していると認識する。次に、記録再生処理手段２５０などの動作を制御して、追記録画処理関連情報８００の追記データ識別情報８７０に基づいて、コンテンツデータを追記録画する追記録画データ７００を特定させる（ステップＳ２１０）。この後、追記録画制御手段２９４は、追記録画予約情報８４０の日時に取得するコンテンツデータを第（Ｒ＋１）のコンテンツデータ７１（Ｒ＋１）として追記録画データ７００に追記録画させる（ステップＳ２１１）。そして、ステップＳ２０５の処理を実施する。ここで、追記録画制御手段２９４は、ステップＳ２０９ないしステップＳ２１１の処理の後にステップＳ２０５およびステップＳ２０６の処理を実施する場合、以下のような処理を実施する。すなわち、ステップＳ２０５において、第（Ｒ＋１）のコンテンツデータ７１（Ｒ＋１）に対応する各種情報に基づいて、チャプタ情報７２（Ｒ＋１）を生成する。そして、ステップＳ２０６において、チャプタ情報７２（Ｒ＋１）を第（Ｒ＋１）のコンテンツデータ７１（Ｒ＋１）に関連付けて追記録画データ７００に組み込ませる。
【００８０】
〔コンテンツ記録再生システムの作用効果〕
上述したように、上記実施の形態では、記録再生装置２００のＣＰＵ２９０は、追記録画予約設定手段２９３の特定情報生成手段２９３Ａにて、追記録画要求情報を取得する。そして、この追記録画要求情報に基づいて、追記録画対象番組のタイトルを組み込んだ追記対象番組特定情報８１０を生成する。また、追記録画予約設定手段２９３は、追記録画予約更新手段２９３Ｅにて、メモリ２８０に記憶された番組情報テーブル４００から、追記対象番組特定情報８１０で特定される追記対象番組の番組情報４１０を取得する。この後、この番組情報４１０に基づいて、追記対象番組の追記録画予約に関する各種情報を認識し、この認識した各種情報を追記録画予約情報８４０に組み込む処理、すなわち追記録画予約情報８４０の更新処理を実施する。また、ＣＰＵ２９０は、追記録画制御手段２９４にて、記録再生処理手段２５０などの動作を制御して、現在時刻が追記録画予約情報８４０における録画開始日時となることを認識すると、この追記録画予約情報８４０が組み込まれた追記録画処理関連情報８００を取得する。さらに、追記録画制御手段２９４は、例えば記録再生処理手段２５０に、この追記録画処理関連情報８００に対応する追記録画対象番組の追記録画データ７００を特定させる。そして、追記録画予約情報８４０に基づいて取得される追記録画対象番組のコンテンツデータを、第（Ｒ＋１）のコンテンツデータ７１（Ｒ＋１）として追記録画データ７００の追記コンテンツデータ７０１の終端に連結させる。
【００８１】
このため、記録再生装置２００は、追記録画要求情報および番組情報テーブル４００などに基づいて、例えば定期的に放送される連続ドラマやシリーズ番組などの互いに関連する第Ｎのコンテンツデータ７１Ｎを時系列順に１つのデータとして連結した追記コンテンツデータ７０１を生成できる。したがって、記録再生装置２００は、１つの追記コンテンツデータ７０１を取得するだけで、例えば連続ドラマなどの互いに関連する第Ｎのコンテンツデータ７１Ｎを再生できる。よって、記録再生装置２００は、複数のコンテンツデータに対する処理を容易にできる。
【００８２】
また、追記録画制御手段２９４は、記録再生処理手段２５０で追記録画対象番組のコンテンツデータを取得すると、この取得したコンテンツデータを第（Ｒ＋１）のコンテンツデータ７１（Ｒ＋１）として追記コンテンツデータ７０１の終端に連結させる。このため、記録再生装置２００は、追記録画対象番組の最新のコンテンツデータを含む追記コンテンツデータ７０１を常時生成できる。したがって、利用者は、追記コンテンツデータ７０１を再生させるだけで、最新のコンテンツを常時視聴できる。よって、記録再生装置２００の利便性を向上できる。
【００８３】
さらに、データ移動制御手段２９５は、追記コンテンツデータ７０１として連結されたコンテンツデータの数を示す録画終了数情報８５０の値が、指定数Ｍと等しいか否かを判断する。そして、追記録画制御手段２９４は、データ移動制御手段２９５で指定数Ｍと等しいと判断した場合、録画終了数情報８５０の値を「０」に設定する。さらに、記録再生処理手段２５０に、追記録画予約情報８４０に基づいて取得される追記録画対象番組のコンテンツデータを、第１のコンテンツデータ７１１として組み込んだ追記コンテンツデータ７０１を生成させる。すなわち、追記録画制御手段２９４は、指定数Ｍ以下のコンテンツデータが連結された追記コンテンツデータ７０１を生成させる。このため、記録再生装置２００は、指定数Ｍ以上のコンテンツデータを連結させた追記コンテンツデータ７０１を生成することがなく、例えば再生処理時における再生制御手段２９６で取得する追記コンテンツデータ７１０のデータ量を所定量以下に抑えることができる。したがって、追記コンテンツデータ７０１として連結するコンテンツデータの数を制限しない構成と比べて、再生処理時の再生制御手段２９６の処理負荷を低減できる。
【００８４】
また、番組数情報生成手段２９３Ｂは、追記録画要求情報に最大録画番組数を指定数Ｍに設定する旨が記載されていることを認識すると、この指定数「Ｍ」を組み込んだ最大録画番組数情報８２０を生成する。そして、追記録画制御手段２９４は、最大録画番組数情報８２０の指定数Ｍ以下のコンテンツデータが連結された追記コンテンツデータ７０１を生成させる。このため、記録再生装置２００は、利用者に追記コンテンツデータ７０１として連結するコンテンツデータの数を設定させることができる。したがって、記録再生装置２００の利便性を向上できる。また、利用者は、例えば放送時間が３０分のコンテンツデータに対して指定数Ｍを４に設定すれば、再生時間が２時間の追記コンテンツデータ７０１を生成させることができ、例えば他の記録媒体へのコピーなどの編集作業を容易にできる。
【００８５】
そして、データ移動制御手段２９５は、指定数Ｍ未満のコンテンツデータが連結された追記コンテンツデータ７０１を追記中データ記憶領域に記憶させ、指定数Ｍのコンテンツデータが連結された追記コンテンツデータ７０１を追記完了データ記憶領域に移動させる。このため、追記コンテンツデータ７０１を追記完了データ記憶領域に移動させない構成と比べて、追記中データ記憶領域に記憶させる追記コンテンツデータ７０１の数を減らすことができる。したがって、追記完了データ記憶領域に移動させない構成と比べて、追記中データ記憶領域の容量を小さくできる。また、追記中データ記憶領域から追記コンテンツデータ７０１を特定する処理を容易にできる。
【００８６】
さらに、移動フラグ設定手段２９３Ｃは、追記録画要求情報に追記コンテンツデータ７０１を追記完了データ記憶領域に移動させる旨が記載されていることを認識すると、「１」に設定したデータ移動フラグ８３０を生成する。そして、データ移動制御手段２９５は、データ移動フラグ８３０が「１」に設定されていることを認識すると、指定数Ｍのコンテンツデータが連結された追記コンテンツデータ７０１を追記完了データ記憶領域に移動させる。このため、記録再生装置２００は、利用者に追記コンテンツデータ７０１を追記完了データ記憶領域に移動させるか否かを設定させることができる。したがって、記録再生装置２００の利便性を向上できる。
【００８７】
また、追記録画制御手段２９４は、追記コンテンツデータ７０１に第（Ｒ＋１）のコンテンツデータ７１（Ｒ＋１）を追記録画すると、この第（Ｒ＋１）のコンテンツデータ７１（Ｒ＋１）の内容を示すチャプタ情報７２（Ｒ＋１）を生成する。そして、記録再生処理手段２５０の動作を制御して、このチャプタ情報７２（Ｒ＋１）を第（Ｒ＋１）のコンテンツデータ７１（Ｒ＋１）に関連付けて追記録画データ７００の追記チャプタ情報７０２に組み込ませる。このため、記録再生装置２００は、コンテンツを出力させるための追記コンテンツデータ７０１と、この追記コンテンツデータ７０１に対応するコンテンツの内容を示す追記チャプタ情報７０２と、を含む追記録画データ７００を生成できる。したがって、利用者は、追記チャプタ情報７０２のチャプタ情報７２Ｎに基づいて、追記コンテンツデータ７０１の第Ｎのコンテンツデータ７１Ｎの内容を適宜確認できる。
【００８８】
そして、再生制御手段２９６は、例えば追記録画データ７００の第Ｎのコンテンツデータ７１Ｎを再生している状態において、チャプタ情報７２Ｎを表示させる旨の操作信号を取得すると、この第Ｎのコンテンツデータ７１Ｎに対応するチャプタ情報７２Ｎを出力装置３００で表示させる。このため、利用者は、再生している第Ｎのコンテンツデータ７１Ｎの内容をチャプタ情報７２Ｎにより適宜確認できる。したがって、記録再生装置２００の利便性を向上できる。
【００８９】
〔実施の形態の変形〕
なお、本発明は、上述した一実施の形態に限定されるものではなく、本発明の目的を達成できる範囲で以下に示される変形をも含むものである。
【００９０】
すなわち、追記録画制御手段２９４の制御により、追記録画対象番組のコンテンツデータを取得した際に、このコンテンツデータを第（Ｒ＋１）のコンテンツデータ７１（Ｒ＋１）として追記コンテンツデータ７０１の終端に連結させる構成について例示したが、これに限らず例えば以下のような構成などとしてもよい。例えば、追記録画制御手段２９４の制御により、例えば指定数Ｍのコンテンツデータを取得した際に、これら指定数Ｍのコンテンツデータを時系列順に１つのデータとして連結した追記コンテンツデータ７０１を生成させる構成としてもよい。このような構成にすれば、上記実施の形態の構成のように、コンテンツデータを取得する毎に追記コンテンツデータ７０１を取得してコンテンツデータを連結する処理を実施させることなく、追記コンテンツデータ７０１を生成できる。したがって、追記録画処理時におけるＣＰＵ２９０の処理負荷を低減できる。
【００９１】
また、追記録画制御手段２９４に、指定数Ｍ以下のコンテンツデータが連結された追記コンテンツデータ７０１を生成させる機能を設けた構成について例示したが、このような機能を設けない構成としてもよい。このような構成の場合、追記録画予約設定手段２９３は、ステップＳ１０２の処理を実施するとステップＳ１０６の処理を実施する。そして、ステップＳ１０８において、最大録画番組数情報８２０を含まない追記録画処理関連情報８００を生成する。また、データ移動制御手段２９５は、ステップＳ１１６で追記録画処理の強制終了の設定入力が実施されていないと判断すると、ステップＳ１１９の処理を実施する。このため、ステップＳ１０３ないしステップＳ１０５、ステップＳ１１７，Ｓ１１８の処理を省略できる。したがって、追記録画処理時における追記録画予約設定手段２９３やデータ移動制御手段２９５の処理負荷を低減できる。また、追記録画処理関連情報８００に最大録画番組数情報８２０を組み込む必要がなく、追記録画処理関連情報８００の情報量を減らすことができる。さらに、追記録画予約設定手段２９３に、番組数情報生成手段２９３Ｂを設ける必要がなく、追記録画予約設定手段２９３の構成を簡略にできる。
【００９２】
そして、追記録画制御手段２９４に、最大録画番組数情報８２０の指定数Ｍ以下のコンテンツデータが連結された追記コンテンツデータ７０１を生成させる機能を設けた構成について例示したが、例えば以下のような構成などとしてもよい。すなわち、例えば予め設定されている指定数Ｍのコンテンツデータが連結された追記コンテンツデータ７０１を生成させる構成などとしてもよい。このような構成の場合、追記録画予約設定手段２９３は、ステップＳ１０２の処理を実施するとステップＳ１０６の処理を実施するとともに、ステップＳ１０８で最大録画番組数情報８２０を含まない追記録画処理関連情報８００を生成する。また、データ移動制御手段２９５は、ステップＳ１１６で追記録画処理の強制終了の設定入力が実施されていないと判断すると、ステップＳ１１８の処理を実施する。このため、ステップＳ１０３ないしステップＳ１０５、ステップＳ１１７の処理を省略できる。したがって、追記録画処理時における追記録画予約設定手段２９３やデータ移動制御手段２９５の処理負荷を低減できる。また、追記録画処理関連情報８００の情報量を減らすことができる。さらに、追記録画予約設定手段２９３の構成を簡略にできる。
【００９３】
また、データ移動制御手段２９５に、指定数Ｍのコンテンツデータが連結された追記コンテンツデータ７０１を追記完了データ記憶領域に移動させる機能を設けた構成について例示したが、このような機能を設けない構成としてもよい。このような構成の場合、追記録画予約設定手段２９３は、ステップＳ１０４またはステップＳ１０５の処理を実施するとステップＳ１０７の処理を実施するとともに、ステップＳ１０８でデータ移動フラグ８３０を含まない追記録画処理関連情報８００を生成する。また、データ移動制御手段２９５は、ステップＳ１１８で指定数Ｍと録画終了数情報８５０の値とが等しいと判断した場合、ステップＳ１０９の処理を実施する。このため、ステップＳ１０６，Ｓ１１９，Ｓ１２０の処理を省略できる。したがって、追記録画処理時におけるデータ移動制御手段２９５の処理負荷を低減できる。また、追記録画処理関連情報８００にデータ移動フラグ８３０を組み込む必要がなく、追記録画処理関連情報８００の情報量を減らすことができる。さらに、データ移動制御手段２９５の構成を簡略にできる。なお、データ移動制御手段２９５に、録画処理された第Ｎコンテンツデータ７１Ｎが最終回に該当すると判断した場合に追記コンテンツデータ７０１を追記完了データ記憶領域へ移動させる機能を設けない構成としてもよい。
【００９４】
さらに、データ移動制御手段２９５に、データ移動フラグ８３０の設定に基づいて追記コンテンツデータ７０１を追記完了データ記憶領域に移動させる構成について例示したが、これに限らず例えば以下のような構成などとしてもよい。すなわち、指定数Ｍのコンテンツデータが連結された追記コンテンツデータ７０１を追記完了データ記憶領域に常時移動させる構成などとしてもよい。このような構成の場合、追記録画予約設定手段２９３は、ステップＳ１０４またはステップＳ１０５の処理を実施するとステップＳ１０７の処理を実施するとともに、ステップＳ１０８でデータ移動フラグ８３０を含まない追記録画処理関連情報８００を生成する。また、データ移動制御手段２９５は、ステップＳ１１８で指定数Ｍと録画終了数情報８５０の値とが等しいと判断した場合、ステップＳ１２０の処理を実施する。このため、ステップＳ１０６，Ｓ１２０の処理を省略できる。したがって、追記録画処理時におけるデータ移動制御手段２９５の処理負荷を低減できる。また、追記録画処理関連情報８００の情報量を減らすことができる。さらに、データ移動制御手段２９５の構成を簡略にできる。
【００９５】
そして、追記録画制御手段２９４に、チャプタ情報７２Ｎを生成して追記録画データ７００に組み込ませる機能を設けた構成について例示したが、このような機能を設けない構成などとしてもよい。このような構成の場合、追記録画制御手段２９４は、ステップＳ２０４またはステップＳ２１１の処理を実施するとステップＳ２０７の処理を実施する。このため、ステップＳ２０５，Ｓ２０６の処理を省略できる。したがって、追記録画対象番組の録画処理時における追記録画制御手段２９４の処理負荷を低減できる。また、追記録画データ７００を追記コンテンツデータ７０１のみで構成するので、追記録画データ７００のデータ量を減らすことができる。さらに、追記録画制御手段２９４の構成を簡略にできる。
【００９６】
また、再生制御手段２９６に、再生中の第Ｎのコンテンツデータ７１Ｎに対応するチャプタ情報７２Ｎを出力装置３００で表示させる機能を設けた構成について例示したが、このような機能を設けない構成などとしてもよい。このような構成にすれば、再生制御手段２９６の構成を簡略にできる。したがって、チャプタ情報７２Ｎを表示させる機能を設けた構成と比べて、記録再生装置２００のコストを低減できる。
【００９７】
そして、再生制御手段２９６を本発明の特定内容出力制御手段として、出力装置３００を本発明の特定内容出力手段として、それぞれ機能させ、以下のような処理を実施する構成などとしてもよい。すなわち、再生制御手段２９６にて、所定の追記録画データ７００や複数の追記録画データ７００に関する各種情報を表示させる旨の操作信号を取得した際に、追記録画データ７００に対応する追記録画対象番組の例えばタイトルを示す連結内容情報と、チャプタ情報７２Ｎの追記番組記述情報７３５と、を階層状に表示させる構成としてもよい。このような構成にすれば、利用者は、追記録画データ７００に組み込まれている全ての第Ｎのコンテンツデータ７１Ｎの内容を容易に認識できる。したがって、記録再生装置２００の利便性を向上できる。
【００９８】
さらに、本発明のデータ処理装置を記録再生装置２００に適用した構成に限らず、例えば特定情報生成手段２９３Ａ、番組数情報生成手段２９３Ｂ、移動フラグ設定手段２９３Ｃ、追記録画予約更新手段２９３Ｅ、追記録画制御手段２９４、データ移動制御手段２９５、および、再生制御手段２９６を独立させた追記録画処理制御装置に適用してもよい。
【００９９】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１００】
その他、本発明の実施の際の具体的な構造および手順は、本発明の目的を達成できる範囲で他の構造などに適宜変更できる。
【０１０１】
〔実施形態の作用効果〕
上述したように、上記実施の形態では、記録再生装置２００のＣＰＵ２９０は、特定情報生成手段２９３Ａにて、追記録画要求情報を取得して、この追記録画要求情報に基づいて、追記録画対象番組のタイトルを組み込んだ追記対象番組特定情報８１０を生成する。また、追記録画予約更新手段２９３Ｅは、番組情報テーブル４００から追記対象番組特定情報８１０で特定される追記対象番組の番組情報４１０を取得して、この番組情報４１０に基づいて追記録画予約情報８４０の更新処理を実施する。この後、追記録画制御手段２９４は、記録再生処理手段２５０などの動作を制御して、現在時刻が追記録画予約情報８４０における録画開始日時となることを認識すると、例えば追記録画予約情報８４０が組み込まれた追記録画処理関連情報８００に対応する追記録画データ７００を特定させる。そして、追記録画予約情報８４０に基づいて取得される追記録画対象番組のコンテンツデータを、第（Ｒ＋１）のコンテンツデータ７１（Ｒ＋１）として追記録画データ７００の追記コンテンツデータ７０１の終端に連結させる。
【０１０２】
このため、記録再生装置２００は、追記録画要求情報および番組情報テーブル４００などに基づいて、例えば定期的に放送される連続ドラマやシリーズ番組などの互いに関連する第Ｎのコンテンツデータ７１Ｎを時系列順に１つのデータとして連結した追記コンテンツデータ７０１を生成できる。したがって、記録再生装置２００は、１つの追記コンテンツデータ７０１を取得するだけで、例えば連続ドラマなどの互いに関連する第Ｎのコンテンツデータ７１Ｎを再生できる。よって、記録再生装置２００は、複数のコンテンツデータに対する処理を容易にできる。 
【図面の簡単な説明】
【０１０３】
【図１】本発明の一実施の形態に係るコンテンツ記録再生システムの概略構成を示すブロック図である。
【図２】前記一実施の形態における番組情報テーブルの概略構成を示す模式図である。
【図３】前記一実施の形態における追記録画データの概略構成を示す模式図である。
【図４】前記一実施の形態における追記録画処理関連情報の概略構成を示す模式図である。
【図５】前記一実施の形態における記録再生装置を構成するＣＰＵの概略構成を示す模式図である。
【図６】前記一実施の形態における追記録画処理を示すフローチャートである。
【図７】前記一実施の形態における追記録画処理を示すフローチャートである。
【図８】前記一実施の形態における追記対象番組の録画処理を示すフローチャートである。
【符号の説明】
【０１０４】
７１Ｎ  特定のデータとしての第Ｎのコンテンツデータ
７２Ｎ  特定内容情報としてのチャプタ情報
２５０    データ取得手段としての記録再生処理手段
２９０    演算手段としてのＣＰＵ
２９３Ａ  データ処理装置を構成する取得要求情報取得手段としての特定情報生成手段
２９３Ｂ  データ処理装置を構成する特定数情報取得手段としての番組数情報生成手段
２９３Ｃ  データ処理装置を構成する記憶要求情報取得手段としての移動フラグ設定手段
２９３Ｅ  データ処理装置を構成する案内情報取得手段としての追記録画予約更新手段
２９４    データ処理装置を構成する、データ取得制御手段、データ連結制御手段、および、特定内容情報生成手段としての追記録画制御手段
２９５    データ処理装置を構成する、記憶制御手段としてのデータ移動制御手段
２９６    データ処理装置を構成する、連結内容出力制御手段としても機能しうる、データ出力制御手段および特定内容出力制御手段としての再生制御手段
３００    連結内容出力手段としても機能しうる、データ出力手段および特定内容出力手段としての出力装置
４００    案内情報としての番組情報テーブル
４３２    配信時間情報としての番組開始時刻情報
４３３    配信時間情報としての番組終了時刻情報
４３４    内容情報としての番組タイトル情報
７０１    連結データとしての追記コンテンツデータ
Ｍ    特定数である指定数
【図１】
2006166347.tif 000003
【図２】
2006166347.tif 000004
【図３】
2006166347.tif 000005
【図４】
2006166347.tif 000006
【図５】
2006166347.tif 000007
【図６】
2006166347.tif 000008
【図７】
2006166347.tif 000009
【図８】
2006166347.tif 000010